(57)【要約】      （修正有）【課題】より正確に試料の状態を測定する。【解決手段】電気化学測定装置は、溶液２１に対して複数回の電圧パルスを印加し、当該電圧パルスによって生じた電流を測定することにより溶液中の試料を測定する電気化学測定装置であって、試料に印加された電圧パルスの測定波形が増幅器１７に印加されるごとに生じるプレサンプリング状態において、増幅器１７の測定ゲインを調整するゲイン調整部１３２と、プレサンプリング状態において、取得される増幅器１７の出力電圧値と、出力電圧値の所定の範囲とに基づいて、ゲイン調整部１３２が調整した複数の測定ゲインのうちから本測定ゲインを選択するゲイン選択部１３１と、プレサンプリング後の状態である本サンプリング状態において、ゲイン選択部１３１が選択した測定ゲインによって増幅器１７が出力する出力電圧値を取得する測定部１３３とを備える。【選択図】図２
2019007908.tif 000002
【特許請求の範囲】
【請求項１】
溶液に対して複数回の電圧パルスを印加し、当該電圧パルスによって生じた電流を測定することにより前記溶液中の試料を測定する電気化学測定装置であって、
前記試料に印加された前記電圧パルスの測定波形が増幅器に印加されるごとに生じるプレサンプリング状態において、前記増幅器の測定ゲインを調整するゲイン調整部と、
前記プレサンプリング状態において、取得される前記増幅器の出力電圧値と、出力電圧値の所定の範囲とに基づいて、前記ゲイン調整部が調整した複数の測定ゲインのうちから本測定ゲインを選択するゲイン選択部と、
前記プレサンプリング後の状態である本サンプリング状態において、前記ゲイン選択部が選択した測定ゲインによって前記増幅器が出力する出力電圧値を取得する測定部と
を備える電気化学測定装置。
【請求項２】
前記ゲイン調整部は、前記プレサンプリング状態において、前記測定ゲインを、測定感度が高いゲインから、前記測定感度が低いゲインへと調整する
請求項１に記載の電気化学測定装置。
【請求項３】
前記ゲイン調整部は、前記プレサンプリング状態において、
前記ゲイン選択部が前記本測定ゲインを選択した場合には、前記ゲインの調整を停止する
請求項２に記載の電気化学測定装置。
【請求項４】
溶液に対して複数回の電圧パルスを印加し、当該電圧パルスによって生じた電流を測定することにより前記溶液中の試料を測定する電気化学測定方法であって、
前記試料に印加された前記電圧パルスの測定波形が増幅器に印加されるごとに生じるプレサンプリング状態において、前記増幅器の測定ゲインを調整するゲイン調整ステップと、
前記プレサンプリング状態において、取得される前記増幅器の出力電圧値と、出力電圧値の所定の範囲とに基づいて、前記ゲイン調整ステップによって調整された複数の測定ゲインのうちから本測定ゲインを選択するゲイン選択ステップと、
前記プレサンプリング後の状態である本サンプリング状態において、前記ゲイン選択ステップによって選択された測定ゲインによって前記増幅器が出力する出力電圧値を取得する測定ステップと
を有する電気化学測定方法。
【請求項５】
溶液に対して複数回の電圧パルスを印加し、当該電圧パルスによって生じた電流を測定することにより前記溶液中の試料を測定する電気化学測定装置が備えるコンピュータに、
前記試料に印加された前記電圧パルスの測定波形が増幅器に印加されるごとに生じるプレサンプリング状態において、前記増幅器の測定ゲインを調整するゲイン調整ステップと、
前記プレサンプリング状態において、取得される前記増幅器の出力電圧値と、出力電圧値の所定の範囲とに基づいて、前記ゲイン調整ステップによって調整された複数の測定ゲインのうちから本測定ゲインを選択するゲイン選択ステップと、
前記プレサンプリング後の状態である本サンプリング状態において、前記ゲイン選択ステップによって選択された測定ゲインによって前記増幅器が出力する出力電圧値を取得する測定ステップと
を実行させるための電気化学測定プログラム。
【発明の詳細な説明】
【技術分野】
【０００１】
本発明は、電気化学測定装置、電気化学測定方法及び電気化学測定プログラムに関する。
【背景技術】
【０００２】
従来、溶液に電圧を印加し、印加された電圧によって生じる電流を測定することにより、溶液中の化学物質を測定する装置が知られている（例えば、非特許文献１）。
【先行技術文献】
【非特許文献】
【０００３】
【非特許文献１】大堺利行，加納健司，桑畑進、「ベーシック電気化学」、化学同人、２０００年、ｐ．１０１−１１３
【発明の概要】
【０００４】
本発明の一態様は、溶液に対して複数回の電圧パルスを印加し、当該電圧パルスによって生じた電流を測定することにより前記溶液中の試料を測定する電気化学測定装置であって、前記試料に印加された前記電圧パルスの測定波形が増幅器に印加されるごとに生じるプレサンプリング状態において、前記増幅器の測定ゲインを調整するゲイン調整部と、前記プレサンプリング状態において、取得される前記増幅器の出力電圧値と、出力電圧値の所定の範囲とに基づいて、前記ゲイン調整部が調整した複数の測定ゲインのうちから本測定ゲインを選択するゲイン選択部と、前記プレサンプリング後の状態である本サンプリング状態において、前記ゲイン選択部が選択した測定ゲインによって前記増幅器が出力する出力電圧値を取得する測定部とを備える電気化学測定装置である。
【０００５】
本発明の一態様は、溶液に対して複数回の電圧パルスを印加し、当該電圧パルスによって生じた電流を測定することにより前記溶液中の試料を測定する電気化学測定方法であって、前記試料に印加された前記電圧パルスの測定波形が増幅器に印加されるごとに生じるプレサンプリング状態において、前記増幅器の測定ゲインを調整するゲイン調整ステップと、前記プレサンプリング状態において、取得される前記増幅器の出力電圧値と、出力電圧値の所定の範囲とに基づいて、前記ゲイン調整ステップによって調整された複数の測定ゲインのうちから本測定ゲインを選択するゲイン選択ステップと、前記プレサンプリング後の状態である本サンプリング状態において、前記ゲイン選択ステップによって選択された測定ゲインによって前記増幅器が出力する出力電圧値を取得する測定ステップとを有する電気化学測定方法である。
【０００６】
本発明の一態様は、溶液に対して複数回の電圧パルスを印加し、当該電圧パルスによって生じた電流を測定することにより前記溶液中の試料を測定する電気化学測定装置が備えるコンピュータに、前記試料に印加された前記電圧パルスの測定波形が増幅器に印加されるごとに生じるプレサンプリング状態において、前記増幅器の測定ゲインを調整するゲイン調整ステップと、前記プレサンプリング状態において、取得される前記増幅器の出力電圧値と、出力電圧値の所定の範囲とに基づいて、前記ゲイン調整ステップによって調整された複数の測定ゲインのうちから本測定ゲインを選択するゲイン選択ステップと、前記プレサンプリング後の状態である本サンプリング状態において、前記ゲイン選択ステップによって選択された測定ゲインによって前記増幅器が出力する出力電圧値を取得する測定ステップとを実行させるための電気化学測定プログラムである。
【図面の簡単な説明】
【０００７】
【図１】電気化学測定システムの外観構成の一例を示す図である。
【図２】測定装置の機能構成の一例を示す図である。
【図３】測定装置の演算手順の一例を示す流れ図である。
【図４】測定装置が印加する電圧パルスの一例を示す図である。
【図５】レンジを切り替えることにより変化する測定感度の一例を示す図である。
【図６】測定装置がプロットしたグラフの予測図である。
【図７】従来の測定装置がプロットしたグラフの一例である。
【発明を実施するための形態】
【０００８】
［実施形態］
以下、図面を参照して電気化学測定システムについて説明する。
図１は、電気化学測定システム１の外観構成の一例を示す図である。
【０００９】
電気化学測定システム１は、測定装置１０と、容器２０とを備える。測定装置１０は、電気化学測定装置の一例である。
試料が含まれる溶液２１は、容器２０に貯留される。
測定装置１０は、電圧印加部１１と、電流測定部１２と、演算部１３と、参照極４と、対極５と、作用極６とを備える。演算部１３は、例えば、ＣＰＵを備えており、種々の演算や情報の授受を行う。また、演算部１３の各機能部のうちの一部または全部は、ＬＳＩ（Ｌａｒｇｅ  Ｓｃａｌｅ  Ｉｎｔｅｇｒａｔｉｏｎ）やＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）等のハードウェアによって構成されていてもよい。
この一例では、測定装置１０は、三電極法によって、溶液２１中の試料を測定する。三電極法は、参照極４を介して、溶液２１に電位を印加し、対極５と作用極６との間に流れる電流を測定することにより、溶液２１中の試料を測定する。
【００１０】
次に、図２を参照して、測定装置１０の動作の概要と、測定装置１０の機能構成の一例について説明する。
図２は、測定装置１０の機能構成の一例を示す図である。
【００１１】
［測定装置１０の動作の概要］
電圧印加部１１は、参照極４を介して、溶液２１に印加する電位を規制する。溶液２１に電位が印加されることにより、対極５と、作用極６との間に電流が流される。作用極６に流された電流は、切替部１６を介して、増幅器１７に供給される。増幅器１７は、作用極６に流された電流を、電圧に変換する。切替部１６は、増幅器１７に供給された電流を電圧に変換するときの変換ゲインを切り替える。増幅器１７から出力される電圧は、電圧測定部１８によって測定される。電圧測定部１８は、増幅器１７から出力された電圧を測定する。電圧測定部１８は、測定した電圧の測定値をデジタル信号に変換する。電圧測定部１８は、電圧の測定値のデジタル信号を、演算部１３に対して供給する。演算部１３は、電流測定部１２が検出した、対極５と作用極６との間に流れる電流に基づいて、試料を測定する。これにより、測定装置１０は、溶液２１中の試料を測定する。この本実施形態の測定装置１０は、微分パルスボルタンメトリー法によって、溶液２１中の試料を測定する。
測定装置１０は、測定した結果である測定結果を、表示部３０に表示させる。表示部３０は、例えば液晶ディスプレイを備えており、画像や数値を表示する。この表示部３０に表示される画像には、測定装置１０が測定した測定結果に基づいて生成される画像が含まれている。
【００１２】
［測定装置１０の機能構成］
測定装置１０は、上述した電圧印加部１１と、電流測定部１２と、演算部１３とに加え、記憶部ＳＴと、増幅器１７と、切替部１６と、電圧測定部１８とを備える。演算部１３は、ゲイン調整部１３２と、ゲイン選択部１３１と、測定部１３３と、測定結果出力部１３４とを、その機能部として備える。
記憶部ＳＴには、上述した溶液２１に対して印加する電圧パルスの設定や、この電圧パルスによって生じた電流を測定するタイミングなどの情報が記憶される。この電圧パルスの設定や、電流を測定するタイミングなどは、測定する試料に応じて予め決定される。
【００１３】
増幅器１７は、溶液２１に印加された電圧によって生じた電流を増幅する。具体的には、増幅器１７は、対極５と、作用極６との間に生じた電流を増幅し、電圧に変換する。この一例では、増幅器１７には、試料に印加された電圧パルスによって生じた電流が供給される。増幅器１７は、この供給された電流を電圧に変換する。増幅器１７は、変換した電圧を、電圧測定部１８に対して供給する。
【００１４】
切替部１６は、増幅器１７の測定ゲインを切り替える。ここで、測定ゲインとは、測定装置１０が測定する電流の入力と、増幅器１７が出力する電圧の比である。以下の説明では、測定ゲインを切り替えることを、レンジを切り替えるとも記載する。
測定装置１０は、この測定ゲインを切り替え、増幅器１７によって変換された電圧を測定する。この一例では、切替部１６は、増幅器１７の測定ゲインの調整に用いられる複数の抵抗器を備える。測定ゲインの調整に用いられる抵抗器は、ゲイン調整部１３２によって、複数の抵抗器のうちから選択される。切替部１６は、ゲイン調整部１３２によって選択された抵抗器に切り替える。
【００１５】
電圧測定部１８は、増幅器１７から供給された電圧を測定する。電圧測定部１８は、測定した電圧を示すデジタル信号を、測定部１３３と、ゲイン選択部１３１とに対して供給する。
ゲイン調整部１３２は、プレサンプリング状態において、増幅器１７の測定ゲインを調整する。この一例では、ゲイン調整部１３２は、切替部１６の回路を切り替えることにより、測定ゲインの調整に用いられる抵抗器を調節する。プレサンプリング状態については後述する。
ゲイン選択部１３１は、プレサンプリング状態において、取得される増幅器１７の出力電圧値と、出力電圧値の所定の範囲とに基づいて、ゲイン調整部１３２が調整した複数の測定ゲインのうちから本測定ゲインを選択する。この一例では、ゲイン選択部１３１は、ゲイン調整部１３２が選択した複数の抵抗器のうちから、本サンプリング状態に用いられる抵抗器を選択する。本サンプリング状態については、後述する。
【００１６】
測定部１３３は、電圧測定部１８から増幅器１７によって変換された電圧値を取得する。具体的には、測定部１３３は、電圧印加部１１が印加した電圧パルスごとに、本サンプリング状態において、ゲイン選択部１３１が選択した測定ゲインによって増幅器１７によって変換された電圧を示す電圧値を、電圧測定部１８から取得する。測定部１３３は、電圧測定部１８から取得した電圧値を、測定結果出力部１３４に対して供給する。
測定結果出力部１３４は、電圧印加部１１が印加した電圧パルスごとに、測定部１３３から電圧値を取得する。測定結果出力部１３４は、測定部１３３から取得した電圧値に基づいて、溶液２１に含まれる試料の状態を示すグラフをプロットする。測定結果出力部１３４は、プロットしたグラフを、表示部３０に表示させる。
【００１７】
［測定装置１０の動作の概要］
次に、図３及び図４を参照して、測定装置１０の動作の概要について説明する。
図３は、測定装置１０の演算手順の一例を示す流れ図である。なお、ここに示す演算手順は、一例であって、演算手順の省略や演算手順の追加が行われてもよい。
図４は、測定装置１０が印加する電圧パルスの一例を示す図である。
【００１８】
測定装置１０は、溶液２１に対して、電圧印加部１１を介して電圧パルスを印加する（ステップＳ１０）。ここで、図４を参照して、測定装置１０が印加するパルス電圧の一例について説明する。電圧印加部１１は、ステップＳ１０からステップＳ８０を繰り返し行うことにより、溶液２１に対して、電圧パルスＰＬＳ１から電圧パルスＰＬＳｎまでを複数回印加する。以下の説明では、電圧パルスＰＬＳ１から電圧パルスＰＬＳｎまでを区別しない場合には、単に電圧パルスＰＬＳと記載する。電圧パルスＰＬＳは、印加される電圧が順次上昇する。
【００１９】
ここで、電圧パルスＰＬＳを具体的に説明する。電圧印加部１１は、ステップＳ１０において、電圧パルスＰＬＳ１を印加する。ここで、電圧パルスＰＬＳ１とは、予め定められた初期電位Ｖ１から、所定の振幅ＶＳの電圧を増加させ、所定の時刻経過後に、電位Ｖ３に減少させた電圧である。この一例では、電圧パルスＰＬＳ１は、時刻ｔ０から、時刻ｔ２まで印加される。電圧パルスＰＬＳ１の電圧は、時刻ｔ０のときに、初期電位Ｖ１から所定の振幅ＶＳぶん増加した電圧である電位Ｖ２にされる。電圧パルスＰＬＳ１の電圧は、時刻ｔ２のときに、電位Ｖ２から電位Ｖ３に減少される。この初期電位Ｖ１と、電位Ｖ３との電位差は、電位ＶＵである。この電圧パルスＰＬＳが所定の電圧の場合に、測定装置１０は、待機状態と、プレサンプリング状態と、本サンプリング状態との記載の順に状態が変化する。それぞれの状態を維持する時間は、予め記憶部ＳＴに記憶される。
【００２０】
図３に戻り、測定装置１０は、所定時間、待機する（ステップＳ２０）。以下の説明では、この測定装置１０が待機する状態を、待機状態とも記載する。待機状態とは、溶液２１に印加された電圧パルスによって生じた電流の応答を待機する状態である。なお、この待機する時間は、上述したように試料によって異なる。この一例では、この待機する時間は、記憶部ＳＴに記憶される。測定装置１０は、この待機状態を設けることにより、溶液２１を流れる電流応答が安定してから、電圧値を測定することができる。これにより、測定装置１０は、正確に溶液２１に含まれる試料の状態を測定することができる。
【００２１】
図４に示す時刻ｔ０から時刻ｔ１０が、待機状態の一例である。この待機状態は、電流値Ａ２から、電流値Ａ１まで安定するまでの間である。
【００２２】
図３に戻り、測定装置１０は、所定時間待機後、複数回プレサンプリングを開始する（ステップＳ３０）。プレンサンプリングとは、本サンプリングに用いるゲインを選択するために、本サンプリングよりも短い時間で測定ゲインを異ならせて予備測定することである。このプレサンプリングは、電圧パルスＰＬＳごとに行われる。以下の説明では、測定装置１０が、プレサンプリングを行っている状態を、プレサンプリング状態とも記載する。
電圧パルスＰＬＳのプレサンプリング状態とは、待機状態の後の状態である。このプレサンプリング状態において、ゲイン調整部１３２は、増幅器１７のゲインを調整する（ステップＳ４０）。具体的には、ゲイン調整部１３２は、切替部１６を複数回、互いに異なるゲインに切り替えることにより、増幅器１７のゲインを調整する。
電圧測定部１８は、このゲインが調整された状態の増幅器１７の出力電圧を測定する（ステップＳ４５）。電圧測定部１８は、測定した増幅器１７の出力電圧値を、ゲイン選択部１３１に対して供給する。ゲイン選択部１３１は、電圧測定部１８から取得した増幅器１７の出力電圧値を取得する。
【００２３】
測定装置１０は、ゲイン調整部１３２が、全てのゲインでプレサンプリングを行ったか判定する（ステップＳ５０）。
測定装置１０は、ゲイン調整部１３２が、全てのゲインでプレサンプリングを行っていないと判定する場合（ステップＳ５０；ＮＯ）には、ゲインを異ならせてステップＳ４０から処理を繰り返す。
測定装置１０は、ゲイン調整部１３２が、全てのゲインでプレサンプリングを行ったと判定する場合（ステップＳ５０；ＹＥＳ）には、ステップＳ６０の処理を行う。
【００２４】
ここで、図４に示す時刻ｔ１０から時刻ｔ１が、プレサンプリング状態の一例である。このプレサンプリング状態の間に、ゲイン調整部１３２は、レンジ１からレンジ６に、ゲインを調整する。この一例では、レンジ１、レンジ２、レンジ３、レンジ４、レンジ５、レンジ６の記載の順に、測定感度が低いゲインへと調整される。つまり、レンジ１は、レンジ２からレンジ６のそれぞれと比較すると、測定感度が最も高い。
ここで、図５を参照して、測定感度の一例について説明する。
図５は、レンジを切り替えることにより変化する測定感度の一例を示す図である。
【００２５】
図５に示すグラフは、横軸に作用極６に流れる電流値と、縦軸に電圧測定部１８が測定する電圧値との関係を示す。
波形Ｗ１は、最も測定感度がよい状態であるレンジ１の場合に測定される波形である。
波形Ｗ２は、レンジ２の場合に測定される波形である。波形Ｗ３は、レンジ３の場合に測定される波形である。波形Ｗ４は、レンジ４の場合に測定される波形である。波形Ｗ５は、レンジ５の場合に測定される波形である。波形Ｗ６は、レンジ６の場合に測定される波形である。
【００２６】
波形Ｗ１から波形Ｗ３は、電流値が、“０．０００１５”（Ａ）の場合に、電圧閾値ＴＨＨよりも高い電圧である。つまり、波形Ｗ１から波形Ｗ３は、測定感度がよいために、飽和している。
波形Ｗ６は、電流値が、“０．０００１５”（Ａ）の場合に、電圧閾値ＴＨＬよりも低い電圧である。つまり、波形Ｗ６は、測定感度が悪いために、増幅器１７から出力される電圧が、測定に適さない電圧である。
波形Ｗ４から波形Ｗ５は、電流値が、“０．０００１５”（Ａ）の場合に、電圧閾値ＴＨＨよりも低く、電圧閾値ＴＨＬよりも高い電圧である。つまり、波形Ｗ４から波形Ｗ５を測定したレンジ４及びレンジ５は、溶液２１中の試料を測定するのに適したレンジである。言い換えると、波形Ｗ４から波形Ｗ５を測定したゲインは、溶液２１中の試料を測定するのに適したゲインである。
【００２７】
図４に戻り、ゲイン調整部１３２は、時刻ｔ１０から時刻ｔ１１までの間、増幅器１７のゲインを、レンジ１に調整する。レンジは、上述したように、切替部１６の抵抗器を切り替えることによって調整される。
電圧測定部１８は、レンジ１に調整された状態の増幅器１７の出力電圧を測定する。同様に、ゲイン調整部１３２は、時刻ｔ１１から時刻ｔ１２までの間、増幅器１７のゲインを、レンジ２に調整する。電圧測定部１８は、レンジ２に調整された状態の増幅器１７の出力電圧を測定する。ゲイン調整部１３２は、レンジ１及びレンジ２と同様に、レンジ３からレンジ６まで、順次レンジを調整する。電圧測定部１８は、レンジ３からレンジ６まで、順次、増幅器１７の出力電圧を測定する。なお、この一例では、ゲイン調整部１３２は、レンジ１からレンジ６までの６段階に調整する場合について説明したが、これに限られない。
【００２８】
図３に戻り、ゲイン選択部１３１は、複数回のプレサンプリングによって取得した電圧値に基づいて、本サンプリングに用いる本測定ゲインを選択する（ステップＳ６０）。具体的には、ゲイン選択部１３１は、増幅器１７の出力電圧値の所定の範囲内のゲインを、本測定ゲインとして選択する。上述した図５に示すゲインの場合には、ゲイン選択部１３１は、波形Ｗ４から波形Ｗ５を測定したレンジ４及びレンジ５のいずれかを、本サンプリングに用いる測定ゲインとして選択する。なお、測定装置１０は、ゲイン選択部１３１が、レンジ４を測定ゲインとして選択する場合には、レンジ５を選択する場合よりも感度よく、電流を測定することができる。このように増幅器１７の出力電圧値が所定の範囲内となるゲインが複数ある場合、ゲイン選択部は、その中からより感度のよいレンジを選択してもよい。
【００２９】
ゲイン選択部１３１は、選択した本測定ゲインを、ゲイン調整部１３２に対して供給する。ゲイン調整部１３２は、ゲイン選択部１３１から本測定ゲインを取得する。ゲイン調整部１３２は、ゲイン選択部１３１から取得した本測定ゲインに、切替部１６を切り替える。測定部１３３は、本サンプリングを開始する（ステップＳ７０）。この、測定部１３３が本サンプリングを行っている状態が、本サンプリング状態である。ここで、本サンプリングとは、図４に示す時刻ｔ１から時刻ｔ２までの間に行われる。測定部１３３は、本サンプリングで測定した電圧値を、溶液２１に対して印加した電圧パルスの電位と対応付けた状態で、測定結果出力部１３４に対して供給する。測定結果出力部１３４は、測定部１３３から、本サンプリングで測定した電圧値を、溶液２１に対して印加した電圧パルスの電位と対応付けた状態で取得する。
【００３０】
測定装置１０は、溶液２１に対して、全ての電圧で本サンプリングを行ったか判定する（ステップＳ８０）。ここで、全ての電圧とは、図４に示す初期電位から、最終電位までの、初期電位から順次、電位ＶＵ増加するそれぞれの電位のことである。
測定装置１０は、全ての電圧で本サンプリングを行っていないと判定する場合（ステップＳ８０；ＮＯ）には、溶液２１に対して印加する電圧を変更（ステップＳ８５）して、ステップＳ１０からステップＳ８０までの処理を繰り返す。例えば、図４に示すように、測定装置１０は、ステップＳ１０からステップＳ８０までの間に、溶液２１に対して電圧パルスＰＬＳ１を印加した場合には、ステップＳ８５に於いて電圧パルスＰＬＳ２の開始電位Ｖ３に変更する。つまり、測定装置１０は、溶液２１に対して電圧パルスＰＬＳ２を印加した状態で、ステップＳ１０からステップＳ８０を繰り返す。
【００３１】
測定装置１０は、全ての電圧で本サンプリングを行ったと判定する場合（ステップＳ８０；ＹＥＳ）には、測定結果出力部１３４は、全ての電圧で測定された電流値に基づいて、グラフをプロットする。測定結果出力部１３４は、プロットしたグラフを、表示部３０に対して表示させる。
【００３２】
ここで、図６及び図７を参照して、測定装置１０が測定した溶液２１に含まれる試料の状態を示すグラフの一例を示す。
図６は、測定装置１０がプロットしたグラフの予測図である。
図７は、従来の測定装置がプロットしたグラフの一例である。
【００３３】
図６及び図７は、共に横軸に溶液２１に対して印加する電圧値と、縦軸に作用極６に流れる電流値をもつグラフである。
図６に示すように、測定装置１０がプロットしたグラフは、電流値のピークを示す点Ｐ６１と、電流値のベースを示す領域Ｂ６１とが、明瞭に分けてプロットされることが予測される。これは、電圧パルスＰＬＳごとに適した測定ゲインによって、電流値を測定したためである。
図７は、従来の測定装置が、同一濃度の測定対象を、異なるレンジ設定によって測定したグラフの一例を示す図である。具体的には、図７（ａ）は、測定ゲインが“１．００Ｅ−４”に設定された場合にプロットされたグラフである。図７（ｂ）は、測定ゲインが“１．００Ｅ−５”に設定された場合にプロットされたグラフである。図７（ｃ）は、測定ゲインが“１．００Ｅ−６”に設定された場合にプロットされたグラフである。
ここで、図７（ａ）から図７（ｃ）に示す電流値のピークは、測定ゲインが“１．００Ｅ−６”のときにノイズがない。また、図７に示す電流値のベース領域は、測定ゲインが“１．００Ｅ−４”、“１．００Ｅ−５”、“１．００Ｅ−６”の記載の順にノイズが抑制されることがわかる。つまり、ベース領域は、測定ゲインが小さく設定されるとノイズが抑制される。この一例では、ベース領域を測定する場合には、測定ゲインが“１．００Ｅ−７”に設定されると、この測定ゲインよりも大きな測定ゲインによって測定する場合と比較して、よりノイズが抑制されると考えられる。
測定装置１０は、電圧パルスＰＬＳごとに適した測定ゲインによって、電流値を測定することができるため、ベース領域と、ピークとを明瞭に分けてプロットすることができる。
【００３４】
微分パルスボルタンメトリー法では、このピークと、ベース領域との差分を、電流の測定値として算出する。つまり、ベース領域が不明瞭の場合には、溶液２１に含まれる試料の測定結果を正確に算出することができない。
この場合、従来の測定装置では、測定ゲインを、測定装置を操作するユーザーが設定し直し、再度測定する必要がある。しかし、溶液２１に含まれる試料によっては、この測定によって状態が変化することがある。この状態の変化により、同一の試料を複数回測定することが困難な場合があった。つまり、複数回の測定に耐えられない試料は、従来の測定装置では測定が困難であった。
【００３５】
［まとめ］
以上説明したように、測定装置１０は、プレサンプリング状態において、ゲイン調整部１３２が、溶液２１に印加される電圧パルスＰＬＳごとに、切替部１６のゲインを調整する。電圧測定部１８は、この調整されるゲインごとに、増幅器１７から出力される出力電圧値を測定する。ゲイン選択部１３１は、電圧測定部１８が測定した出力電圧値が、所定の範囲におさまるゲインを、本サンプリング状態において用いるゲインである本測定ゲインとして選択する。測定部１３３は、ゲイン選択部１３１が選択した本測定ゲインに基づいて、本サンプリングする。これにより、測定装置１０は、溶液２１に印加される電圧パルスＰＬＳごとに、適した測定感度によって本サンプリングすることができる。これにより、測定装置１０によって測定される電圧パルスＰＬＳごとの電流値は、それぞれ、適した測定感度によって測定される。これにより、測定装置１０は、一度の測定で正確な測定結果をプロットすることができる。また、測定装置１０は、一度の測定で正確な測定結果をプロットすることができるため、同一の試料に対して複数回の測定を行う必要がない。これにより、測定による試料への影響を低減することができる。また、測定装置１０は、正確な測定結果をプロットすることができるため、より正確に試料の状態を測定することができる。
【００３６】
なお、上述した説明では、測定装置１０は、切替部１６が備える複数の抵抗器を切り替えることによりゲインを調整したが、これに限られない。切替部１６は、増幅器１７が複数のゲインが異なる増幅器の場合には、スイッチ回路などであってもよい。この場合には、切替部１６は、スイッチを切り替えることにより、測定に用いる増幅器を切り替えてもよい。
【００３７】
なお、上述した説明では、ゲイン調整部１３２は、プレサンプリング状態において、測定ゲインを、測定感度が高いゲインから、測定感度が低いゲインへと調整する場合について説明したが、必須ではない。測定感度が高いゲインから、測定感度が低いゲインへと調整する場合には、ゲイン選択部１３１は、最初に電圧閾値ＴＨＨ以下、かつ、電圧閾値ＴＨＬ以上の電圧が測定されたゲインを、本測定ゲインとして選択してもよい。この場合には、測定装置１０は、測定感度が所定の範囲内に収まり、かつ、測定感度がよいゲインを選択することができる。
【００３８】
また、上述した説明では、測定装置１０は、レンジ１からレンジ６まで、全てのレンジを切り替える場合について説明したが、これに限られない。ゲイン選択部１３１は、このレンジの切り替えごとに、測定感度を算出してもよい。この場合には、測定装置１０は、本測定ゲインを、より短時間に決めることができる。これにより、測定装置１０は、本サンプリングにかける時間を長くとることができる。
【００３９】
以上、本発明の実施形態を、図面を参照して詳述してきたが、具体的な構成はこの実施形態に限られるものではなく、本発明の趣旨を逸脱しない範囲で適宜変更を加えることができる。
【００４０】
なお、上述の各装置は内部にコンピュータを有している。そして、上述した装置の各処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしてもよい。
【００４１】
また、上記プログラムは、前述した機能の一部を実現するためのものであってもよい。
さらに、前述した機能をコンピュータシステムにすでに記録されているプログラムとの組み合わせで実現できるもの、いわゆる差分ファイル（差分プログラム）であってもよい。
【符号の説明】
【００４２】
１…電気化学測定システム、４…参照極、５…対極、６…作用極、１０…測定装置、１１…電圧印加部、１２…電流測定部、１３…演算部、１６…切替部、１７…増幅器、１８…電圧測定部、２０…容器、２１…溶液、１３１…ゲイン選択部、１３２…ゲイン調整部、１３３…測定部、１３４…測定結果出力部
【図１】
2019007908.tif 000003
【図２】
2019007908.tif 000004
【図３】
2019007908.tif 000005
【図４】
2019007908.tif 000006
【図５】
2019007908.tif 000007
【図６】
2019007908.tif 000008
【図７】
2019007908.tif 000009